(57)【特許請求の範囲】
【請求項１】
送液管内を流れる液体中に注入ポンプで薬液を注入する薬液注入装置において、前記送液管の長さ途中に前記送液管内の液体流れを分流して合流させるための２本の通液管を設け、これら通液管のうち一方は他方よりも通液路を小径となされており、且つ、通液路が小径である一方の前記通液管内の液体の流量を検出するための流量センサを設け、通液路が大径である他方の前記通液管内には当該通液管の他個所の通路断面積よりも通路断面積を小さくなすための絞り部が形成されて前記送液管から当該通液管に流れ込む液体の流動に対して流動抵抗を付与し、前記流量センサの検出信号に基づいて前記注入ポンプの薬液注入作動が制御されることを特徴とする薬液注入装置。
【請求項２】
通液路が大径である他方の前記通液管が、前記送液管の通液路と合致した呼び径を有していることを特徴とする請求項２記載の薬液注入装置。
【請求項３】
前記薬液の注入位置が、前記絞り部の形成された前記通液管の通液路内であって前記絞り部の上流側であることを特徴とする請求項２若しくは３記載の薬液注入装置。
【請求項４】
前記絞り部の肉部の上流側液接触面が該面上の点が通液路半径方向外側へ移動するに伴って上流側へ変位するように位置する部分球面となされ且つ、該部分球面の半径が該絞り部を形成された前記通液管の最大通路断面積個所の半径の略、０．５〜１．０倍の範囲内の大きさ程度となされていることを特徴とする請求項３記載の薬液注入装置。
【発明の詳細な説明】
【技術分野】
【０００１】
本発明は、送液管内を流れる液体に薬液を注入する薬液注入装置に関する。
例えば、地下水を汲み上げ、これに薬液を注入することにより、水中に含まれる大腸菌などの雑菌を殺菌し、良質な水になして生活空間に供給するための給水設備などに設置されて使用されるものである。
【背景技術】
【０００２】
上記薬液注入装置として、例えば特許文献１〜３などが存在している。
【０００３】
特許文献１〜３に開示された薬液注入装置は、送液管内の液体の流量を検出して検出信号を発する流量センサと、注入ポンプと、前記流量センサの発した検出信号を伝達され該検出信号に基づいて制御信号を発する制御部と、前記制御信号に基づいて送液管内の液体流量に比例した量の薬液を送液管内の液中に注入するように作動する注入ポンプとを備えている。
【０００４】
ここで使用される流量センサは送液管内の液流量を直接に検出するものであるため、送液管の最大流量に対応した検出能力を有している必要があり、したがって送液管内の液流量の計画値が大きくなるに従って、その大きさが大形化するほか、その価格も相対的に非常に高いものとなる。
【０００５】
【特許文献１】特開２００６−６８６８１号公報
【特許文献２】特開平１１−１９６５３号公報
【特許文献３】特開昭６２−２４５１１３号公報
【発明の開示】
【発明が解決しようとする課題】
【０００６】
上記薬液注入装置において、たとえ送液管内の計画最大流量が大きくても、検出能力の比較的小さい小形の流量センサの使用により送液管内の液体流量を検出できるようになれば、流量センサの価格が大幅に低下するため、たとえ送液管内の計画最大流量が大きく設計された薬液注入装置であっても、これを比較的安価に市場に提供することができるようになる。
【０００７】
本発明は斯かる実情の下、送液管内の計画最大流量の大きさに対して比較的安価に製作できると共に送液管内を流れる液体の小流量から大流量に至るまで、その流量に比例した量の薬液を安定的に注入することができる薬液注入装置を提供することを目的とする。
【課題を解決するための手段】
【０００８】
上記目的を達成するため、本発明に係る薬液注入装置は、請求項１に記載したように、送液管内を流れる液体中に注入ポンプで薬液を注入する薬液注入装置において、前記送液管の長さ途中に前記送液管内の液体流れを分流して合流させるための２本の通液管を設け、これら通液管のうち一方は他方よりも通液路を小径となされており、且つ、通液路が小径である一方の前記通液管内の液体の流量を検出するための流量センサを設け、通液路が大径である他方の前記通液管内には当該通液管の他個所の通路断面積よりも通路断面積を小さくなすための絞り部が形成されて前記送液管から当該通液管に流れ込む液体の流動に対して流動抵抗を付与し、前記流量センサの検出信号に基づいて前記注入ポンプの薬液注入作動が制御されることを特徴とする。
【０００９】
この発明は次のように具体化するのがよいのであって、即ち、請求項２に記載したように、通液路が大径である他方の前記通液管が、前記送液管の通液路と合致した呼び径を有している構成とする。
【００１０】
これらの発明において、各通液管内には送液管内よりも少ない流量の液体流れが生じるのであり、この液体流れの流量は通液管の通液路断面積を大小に変更することにより任意な大きさとなすことができる。したがって、流量センサは送液管内の流量よりも任意に小さくなされた液体流れの流量を検出し得るものとなり、この検出時点の送液管内の液体流れの流量は流量センサの検出信号に基づいて決定され、注入ポンプは送液管内の流量に対応した量の薬液を送液管内の液体に注入する。
【００１１】
上記した発明はさらに次のように具体化することができる。
即ち、請求項３に記載したように、前記薬液の注入位置が、前記絞り部の形成された前記通液管の通液路内であって前記絞り部の上流側である構成とする。
【００１２】
このようにすれば、絞り部の上流側近傍及び下流側近傍で発生する渦流が有効に利用されて通液管内の液体と薬液の混合攪拌が促進される。
【００１３】
さらには、請求項４に記載したように、前記絞り部の肉部の上流側液接触面は該面上の点が通液路半径方向外側へ移動するに伴って上流側へ変位するように位置する部分球面となされ且つ、該部分球面の半径が該絞り部を形成された前記通液管の最大通路断面積個所の半径の略、０．５〜１．０倍の範囲内の大きさ程度となされている構成とする。このようにすれば、部分球面が液体流れの一部を円滑に反転させて上流側へ向かわせて渦流を誘発させ乱流を定常的に促進化させる。
【発明の効果】
【００１４】
本発明によれば、次のような効果が得られる。
即ち、請求項１に記載の発明によれば、送液管内を流れる液体の一部がそれぞれの通液管内を流れ、流量センサがこれの装着された任意な１本の通液管内の液体の流量を検出し、こうして検出された流量に基づいて送液管内の液体の流量が把握されるようになるのであり、流量センサを検出能力の比較的小さいものとなすことができて、流量センサの占める製造コストが大幅に低下するため、本発明品を比較的安価に市場に提供することができるようになるのである。
また流量センサが小形化されるに伴って、その流量センサのいわゆる検出可能な最小流量の大きさも相応に小さくなるため、本発明品が送水管内の一部の液体の流量を検出することにより送水管内の流量を把握する方式のものであっても、流量の検出精度が送水管内に直接に流量センサを設ける場合と変わりないものとなすことができる。
【００１５】
請求項２に記載の発明によれば、一方の通液管の通液路断面積を送液管のそれと同一となすことができて送液管と本発明品の通液管との結合において異径継ぎ手管などを使用する必要のないものとなる。
【００１６】
請求項３に記載の発明によれば、絞り部による堰き止め効果で圧力上昇している液体中に薬液が注入されるようになり、注入ポンプは負圧の生じる可能性のある位置（例えば絞り部の下流側近傍位置）の液体中に薬液を注入する場合に較べ正確な量の薬液を注入することができる。
【００１７】
また絞り部の上流側近傍及び下流側近傍で渦流発生が顕著となるが、絞り部の上流側近傍に薬液が注入されるために、絞り部の上流側近傍で先ず通液管内の液体と薬液の混合攪拌が渦流により促進され、さらに絞り部を通過した後、絞り部の下流側近傍で発止する渦流により再び通液管内の液体と薬液の混合攪拌が促進されるようになり、注入された薬液と送液管内の液体とを均等且つ迅速に混合させることができる。
【００１８】
請求項４に記載の発明によれば絞り部の形成された通液管内の液体の一部の流れ方向を部分球面の案内作用により円滑に反転させて上流側へ向かわせることができるため、絞り部の上流側近傍の液体流れの乱流化が定常的に促進され、注入ポンプにより注入された薬液と通液管内の液体との混合攪拌を定常的に促進させることができるのであり、また絞り部の肉部の上流側液接触面が通液管の中心線に交叉する単一平面となされた場合（部分球面の存在しない場合）と較べた場合に、絞り部の上流側近傍での液体流れの乱流が定常化されて絞り部の堰き止め作用による通液管内上流側の圧力上昇が安定化され、流量センサによる送液管内の流量検出の精度を向上させることができる。
【発明を実施するための最良の形態】
【００１９】
以下、本発明の実施形態について図面を参照して説明する。
図１は本発明に係る薬液注入装置の斜視図、図２は前記薬液注入装置の正面図、図３は前記薬液注入装置の平面図、図４は前記薬液注入装置の側面図である。
【００２０】
１はステンレス板などの金属材で扁平状の直方体形状に形成された基礎台であり、２は基礎台１の上面１ａに載置されボルト３や結合板４で固定された合成樹脂材製の薬液タンクである。
【００２１】
基礎台１は上面を単一平面となされており、例えば縦辺及び横辺の長さを何れも略６００ｍｍ程度となされ、高さを略１２０ｍｍ程度となされる。一方、薬液タンク２は縦長の直方体形状となされており、容量を凡そ５０〜１００リットル程度となされ平面視大きさを基礎台１のそれに略合致されると共に高さを例えば略７００ｍｍ程度となされており、また上面２ａには蓋部材５ａにより開放可能に閉鎖される比較的大きな開口部５が形成され、右側面２ｂには内方に収容された薬液の液面を確認するための液面計６が設けられ、前面２ｃには下半分範囲内の比較的広い部分を後面側へ大きく窪ませてなる窪み空間部ａ１が形成され、前面２ｃ右部の最下位置近傍には開閉弁７の装着された薬液流出口８が形成されている。
【００２２】
上記窪み空間部ａ１は、下面を薬液タンク２の前方張り出し底面部ｂ１で囲まれると共に、左右側面個所の大部分を、薬液タンク２の左右各側部ｂ２、ｂ２を前側から切除して形成された開放個所となされ、上面個所を薬液タンク２の上部前面壁ｂ３から下方奥側へ向け傾斜状に延長された傾斜状前面壁ｂ４で囲まれ、奥面個所を傾斜状前面ｂ３の下縁から垂直下方へ延長された奥部前面壁ｂ５で囲まれている。
【００２３】
９は窪み空間部ａ１内に配置され前方張り出し底面部ｂ１の上面にボルトで固定された注入ポンプで、ポンプ部１０と駆動部１１と制御部１２とを一体状に組み立てたものとなされている。このさい、ポンプ部１０は定量ポンプとして機能するダイヤフムポンプとなされており、駆動部１１はダイヤフラムポンプ１０のダイヤフラムに連動連結された出力部材を電動モータで往復作動させるものとなされており、制御部１２は駆動部１１の電動モータを制御するものとなされている。
【００２４】
２Ａは窪み空間部ｂ１の前方及び左右側方の大部分を覆った透明状の合成樹脂材製のカバー部材であり、図示しないネジ部材で薬液タンクの前面２ｃに固定されている。カバー部材２Ａの下縁と窪み空間部ｂ１の下面との間個所は窪み空間部を外方に開放させるための開放口となされ高さを１０ｃｍ〜２０ｃｍ程度となされている。
【００２５】
図５及び図６は２本の通液管１３、１４を一体状に組み付けた通液管ユニットＵを示した図である。通液管ユニットＵは基礎台１に固設されている。これら通液管１３、１４のうち一方のもの１４は他方のもの１３よりも通液路を小径となされている。具体的には、例えば一方の通液管１３が呼び径５０Ａの管部材で形成されたときは、他方の通液管１４は呼び径３２Ａの管部材で形成するのであり、或いは、一方の通液管１３が呼び径４０Ａの管部材で形成されたときは、他方の通液管１４は呼び径３２Ａの管部材で形成するようになされる。
【００２６】
そして、呼び径の大きい方の通液管１３の長さ途中に薬液注入口１５が設けられ、また呼び径の小さい方の通液管１４の長さ途中には該通液管１４内を流れる液体の流量を検出するための流量センサ１６が設けられる。この流量センサ１６は通液管１４内を流れる液体に接し該液体の流量に比例して回転される羽根車１６ａを具備すると共に、液体流量を表す電気信号として、前記羽根車１６ａの１回転時間に対応した時間間隔のパルスを発生するものとなされている。このパルスは伝送線１７を通じて注入ポンプ９の制御部１２に伝達され、制御部１２は後述するように、これに伝送されたパルスに基づいて駆動部１１の出力部材を往復作動させるものとなされている。
【００２７】
実際に使用される通液管ユニットＵの外観は図６に示すようなものとなされる。一方の通液管１３は異径チーズ１８ａ、１８ｂ、直状管部材１９ａ、１９ｂ、フランジ継ぎ手部２０を直列状に結合させたものとなされ、また他方の通液管１４は直状管部材２１ａ、２１ｂ、９０度曲がり管２２ａ、２２ｂ、ネジ付直状管部材２３、ユニオン継ぎ手部２４、流量センサ１６の本体フレーム１６Ａを直列状に結合させたものとなされている。
【００２８】
この通液管ユニットＵの通液管１３の各フランジ継ぎ手部２０、２０は基礎台１の左右の側面１ａに形成された透孔ｃ１を通じて基礎台１の外側に配置されると共にフランジ継ぎ手部２０、２０を除いた大部分個所を基礎台１の内方に配置されＵボルトなどを介して基礎台１内面に固定されている。
【００２９】
図２に示すように、ポンプ部１０の液吸引口１０ａと開閉弁７の液出口とは合成樹脂材からなる吸引ホース２５によりホース接続具を介して連通されており、またポンプ部１０の液吐出口１０ｂと、薬液注入口１５とは基礎台１の前面１ｃに形成された透孔ｄ２内を通過された合成樹脂材からなる吐出ホース２６によりホース接続具を介して連通されている。
【００３０】
そして、通液管１３の長さ途中で且つ薬液注入口１５よりも下流側で且つ、通液路１４の入口１４ａと出口１４ｂとの間となる個所には、図５などに示すように、該個所の通液路断面積を当該通液管１３の他個所の通液路断面積よりも小さくなすための絞り部２７が形成されている。図７は絞り部２７周辺の具体的な構造を示す断面図である。この絞り部２７を簡便に形成するには、異径チーズ１８ｂの上流側の受け口にドーナツ状のオリフィス板２７Ａを挿入して受け口の段差個所ｅ１に当接させ、次に直状管部材１９ｂの下流端を前記受け口内に嵌挿しオリフィス板２７Ａの上流側の端面に押し当てた状態となす。これら各部材１８ｂ、１９ｂ、２７Ａ間は接着剤で接着される。
【００３１】
次に上記した薬液注入装置の使用例及び作用について説明する。
例えば、図２に示すように、地下水を揚水ポンプ１００で汲み上げ、送水管１０１を通じて、生活空間１０２に衛生的な水を供給する水供給設備において、送水管１０１の送水経路途中に本発明に係る薬液注入装置Ｙを設置する。
具体的には、薬液注入装置Ｙより上流側の送水管１０１の下流端を通液管１３の上流側のフランジ継ぎ手部２０に連通させ、薬液注入装置Ｙより下流側の送水管１０１の上流端を通液管１３の下流側のフランジ継ぎ手部２０に連通させる。
【００３２】
薬液注入装置Ｙの通液系統は最高使用圧力を略０．５ＭＰａ程度となされ、また最大流量は送水管１０１の呼び径が４０Ａであるときには毎分略２００リットル程度となされ、また送水管１０１の呼び径が５０Ａであるときには毎分略４００リットル程度となされる。
【００３３】
そして、薬液タンク２には次亜塩素酸ナトリウム１２％液が開口部５から投入されるのであり、この後、各部が作動可能状態となされる。
【００３４】
該状態の下で、揚水ポンプ１００はこれの出口側の送水管１０１内の圧力が予め定められた一定圧力範囲内に保持されるように地下水を自動的に汲み上げるように作動するのであり、このような作動は従来と変わりない。いま、送水管１０１内の水が生活空間１０２の蛇口１０２ａから流出され、送水管１０１内の圧力が低下すると、これに関連して揚水ポンプ１００が自動的に作動して、地下水を汲み上げ、送水管１０１内に送り込む。このさい、消費された水量と同等の水が薬液注入装置Ｙの２本の通液管１３、１４を通じて流動する。
【００３５】
この流動中、各通液管１３、１４ではそれぞれの単位長さ当たりの圧力降下に関連した流量で水が流れる。この例では送水管１０１と通液管１３との結合の利便性から通液管１３の呼び径は送水管１０１のそれに合致させるようになされるが、このようにすると、何らの対策も講じなければ、通液管１４の流量が通液管１３のそれに比べて過少となって流量センサ１６による流量検出が的確に行われ難くなることが予想される。オリフィス２７Ａはこれに対処するためのものであり、オリフィス２７Ａにより付与される流動抵抗は流量センサ１６による流量検出が的確に行われる範囲内で最小となるように決定するのがよいのであり、このように決定すると、余分な流動抵抗の付与が回避されて２本の通液管１３、１４内での水流動が効率的となる。各通液管１３、１４内の流量は例えばそれぞれの通液路断面積に概ね比例する程度となされる。
【００３６】
通液管１４内の水の流れは、流量センサ１６の羽根車１６ａを回転させるのであり、流量センサ１６は、例えば、羽根車１６ａの回転数と同数のパルスを出力することで通液管１４内の水流量を検出する。このパルスは伝送線１７を通じて制御部１２に伝達され、制御部１２はこれに伝送された各パルスを計上して送水管１０１内の水の流量（具体的には通液管１３及び通液管１４を通過した水量）を把握する。
【００３７】
図８は通液管１４の圧力差Δｈの変化に対する、通液管１３内の水の流量Ｑ１  や、通液管１４内の水の流量Ｑ２  や、２本の通液管１３、１４内の水の流量Ｑ３  の変化を示したグラフである。ここに、圧力差Δｈは図５中における通液管１４の入口１４ａの近傍位置ｐ１の圧力と通液管１４の出口１４ｂの近傍位置ｐ２の圧力との差である。図８中、ｓ１は通液管１３内の流量Ｑ１  の変化を示す線であり、ｓ２は通液管１４内の水流量Ｑ２  の変化を示す線であり、ｓ３は２本の通液管１３、１４内の流量Ｑ１  及びＱ２  を合算したもので送水管１０１内の水の流量Ｑ３  の変化を示す線である。
【００３８】
上記圧力差Δｈは揚水ポンプ１００の作動環境の変化で大小に変化すると共に、生活空間１０２での水消費量の変化による送水管１０１内の水の流速の変化などによっても大小に変化する。また上記圧力差Δｈと圧力差Δｈに基づく各通液管１３、１４内の水の流速との関係は次の（１）式及び（２）式で表されることは既に知られている。
【００３９】
Δｈ＝λ１・ｖ１２／（２・ｇ）          ・・・・（１）式
Δｈ＝λ２・ｖ２２／（２・ｇ）          ・・・・（２）式
ここに、λ１  は液通路１３の定数、λ２  は液通路１４の常数、ｖ１  は液通路１３内の水の流速、ｖ２  は液通路１４内の水の流速である。
【００４０】
したがって、各通液管１３、１４内の流速は次の（３）式及び（４）式で表される。
ｖ１＝ｋ１・（Δｈ）１／２                  ・・・・（３）式
ｖ２＝ｋ２・（Δｈ）１／２                  ・・・・（４）式
ここに、ｋ１ は液通路１３の定数、ｋ２  は液通路１４の常数である。
【００４１】
上記の（３）式及び（４）式に基づいて、各通液管１３、１４内の水の流量Ｑ１  、Ｑ２  は次の（５）式及び（６）式で表される。
Ｑ１＝ｖ１・ｓ１＝ｋ３・（Δｈ）１／２        ・・・・（５）式
Ｑ２＝ｖ２・ｓ２＝ｋ４・（Δｈ）１／２        ・・・・（６）式
【００４２】
図８において、線ｓ１は（５）式から得られるものであり、線ｓ２は（６）式から得られるものであり、線ｓ３は水流量Ｑ１  と水流量Ｑ２  とを合算して得られるものである。
これらの線ｓ１、ｓ２、ｓ３の関係に基づいて、２本の通液管１３、１４による水の流量（送水管１０１内の水流量）Ｑ３  は通液管１４の水の流量Ｑ２から一意的に特定されるものとなる。なお、水流量Ｑ２  と水流量Ｑ３  との関係は理論上から求めることもできるが、実験によって簡易に確定される。
【００４３】
制御部１２には上記流量Ｑ２  と上記流量Ｑ３  との関係や、上記流量Ｑ３  と注入すべき薬液量との関係に係る情報が予め入力されている。そして、制御部１２は該情報と、流量センサ１６から伝達されたパルスにより把握した流量（流量センサ１６を通過した水量）Ｑ２  とに基づいて２本の通液管１３、１４内の流量（２本の通液管１３、１４内を通過した水量）Ｑ３  を特定し、この流量Ｑ３  に対応した量の薬液を薬液タンク２内から通液管１３内の水に注入するように駆動部１１を作動させる。
【００４４】
このさいの作動をさらに詳細に説明すると、流量センサ１６から羽根車１６ａの１回転ごとに１つ発生されるパルスが制御部１２に伝達されると、制御部１２はそのパルスを順次に加算するように計上し、その加算値が予め制御部１２の調整部材の操作により設定された数値に合致したとき、ポンプ部１０のダイヤフラムポンプが１回往復作動されるように駆動部１１の出力部材を作動させる。これによりポンプ部１０は薬液タンク２内から吸引ホース２５を通じて液吸引口１０ａまで導かれた薬液の一定量を吸引した後、液吐出口１０ｂからそれを流出させるように作動し、該作動により吐出ホース２６及び薬液注入口１５を通じて一定量の薬液が通液管１３内の水に注入される。
【００４５】
該一定量の薬液の注入の終了により前記加算値はゼロに復帰されるのであり、この復帰後に再び流量センサ１６から伝達されるパルスを制御部１２が順次に加算していくのであり、以後は既述と同様な作動が繰り返される。これにより、２本の通液管１３、１４を経た後の送水管１０１内の水には一定水量が通過するたびに予め定められた一定量の薬液が注入された状態となって、送水管１０１内の水は送水管内の流量の変化に拘わらず予定された薬液濃度となされる。
【００４６】
このような使用中において、生活空間１０２に供給される水の薬液濃度を濃くしたい場合は、制御部１２の調整部材を操作して、駆動部１１を作動させるためのパルス数の数値を小さくなす。これにより、前よりも少ない水量に対し先と同一量である一定量の薬液がポンプ部１０から吐出されるようになり、通液管１３を経た後の送水管１０１内の薬液濃度は増大される。逆に生活空間１０２に供給される水の薬液濃度を薄くしたいときは前記調整部材を操作して、駆動部１２を作動させるためのパルス数の数値を大きくなすのであり、これにより前よりも多い水量に対し先と同一量である一定量の薬液がポンプ部１０から吐出されるようになり、通液管１３を経た後の送水管１０１内の薬液濃度は減少される。
【００４７】
薬液注入口１５から通液管１３内に導かれた薬液はオリフィス２７Ａの上流側近傍の水中に注入されるのであり、これにより薬液はオリフィス２７Ａの上流側近傍に集中的に発生する渦流により水中に均等に混入されるのであり、またオリフィス２７Ａを通過した後にもオリフィス２７Ａの下流側近傍に集中的に発生する渦流によりさらに均一に混合される。
【００４８】
上記薬液注入装置Ｙの変形例について説明する。
（１）図９は絞り部２７の変形例を示す断面図である。絞り部２７の上流側近傍に乱流を定常的に促進させるための乱流促進部２８を形成する。具体的には、絞り部２７の肉部の上流側の液接触面ｇ１を次のように形成するのであって、即ち、この液接触面ｇ１上を仮想点が通液路半径方向外側へ移動したとき該移動に伴って上流側へ変位するようになる形状である部分球面となし且つ、この部分球面の半径を該絞り部２７の形成された通液管１３の最大通液路断面積個所の半径の略、０．５〜１．０倍の範囲内の大きさ程度となす。このようにすれば、通液路１３内を上流側からオリフィス２７Ａに向けて流れた水流が矢印方向ｈ１へ向け円滑に方向転換され逆行するようになってオリフィス２７Ａの上流側近傍における乱流が促進される。
【００４９】
このさい、部分球面ｇ１の最上流側である終端部の形状は該終端部と半径面（通液路中心線Ｏ１と該中心線Ｏ１回りの任意な特定の半径線とを含む平面）との交叉線が通液路１３の上流側へ変位するほど通液路中心線ｏ１に近づくようなものとする。このようにすれば、図８中の矢印ｈ１のように方向転換された水流がさらに通液路中心線ｏ１側へ矢印ｈ２で示すように円滑に方向転換されるため、部分球面ｇ１による渦流形成が促進されて乱流が一層効果的に促進される。この結果、通液路を通過した後の地下水は迅速に薬液濃度を均等化される。
【００５０】
（２）上記した例では異なる大きさの通液路断面積となされた２本の通液管１３、１４を設けたが、それぞれの通液管１３、１４は本発明の効果が得られる範囲内で任意な径となすことができるのであり、また３つ以上の通液管を設け、何れか１つの通液管に流量センサ１６を設ける構成などとなすことも差し支えない。また各通液管の流動抵抗の大小関係によってはオリフィス２７Ａを設けないで済む場合もある。
【００５１】
（３）上記例では地下水に薬液を注入する場合について説明したが、これに限定するものではなく、任意な２種の液体を一定割合で混合させる場合にも使用し得るものである。
【図面の簡単な説明】
【００５２】
【図１】本発明に係る薬液注入装置の斜視図である。
【図２】前記薬液注入装置の正面図である。
【図３】前記薬液注入装置の平面図である。
【図４】前記薬液注入装置の側面図である。
【図５】２本の通液管を一体状に組み付けた通液管ユニットを模式的に示す断面図である。
【図６】前記通液管ユニットを具体化した状態の外観を示す斜視図である。
【図７】絞り部周辺の具体的な構造を示す断面図である。
【図８】通液管内の圧力差の変化に対する、通液管内の水の流量の変化を示すグラフである。
【図９】前記通液管ユニットの絞り部の変形例を示す断面図である。
【符号の説明】
【００５３】
Ｑ２  流量
Ｙ  薬液注入装置
ｇ１  部分球面
９  注入ポンプ
１３  通液管
１４  通液管
１６  流量センサ
２７  絞り部
１０１  送液管
【図１】
0005216266.tif 000002
【図２】
0005216266.tif 000003
【図３】
0005216266.tif 000004
【図４】
0005216266.tif 000005
【図５】
0005216266.tif 000006
【図６】
0005216266.tif 000007
【図７】
0005216266.tif 000008
【図８】
0005216266.tif 000009
【図９】
0005216266.tif 000010